【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】  水硬セメントが、カルシウム源を含む第一の成分、水を含む第二の成分を含み、このセメントは各成分の混合後に硬化し、および疎水性液体を含む第三の成分を含む、人間または動物の体へ移植するための水硬セメントを含む組成物であって、前記第三成分の疎水性液体が、前記水硬セメントの第一と第二の成分とエマルジョンを形成できることを特徴とする前記組成物。
【請求項2】  前記第二の成分が更に、界面活性剤または乳化剤を含み、エマルジョンの形成を加速し、安定化することを特徴とする請求項1に記載の組成物。
【請求項3】  前記界面活性剤または乳化剤が以下の群から選ばれる事を特徴とする請求項2に記載の組成物： ドキュセートナトリウム(C20H37NaO7S)、硫酸ラウリルナトリウム(C12H25NaO4S)、ステアリン酸(C17H35COOH)、アルキルジメチル(フェニルメチル)塩化アンモニウム[CAS登録番号8001-54-5]、塩化ベンゼトニウム(C27H42ClNO2)、セツリミド(C17H38BrN)、モノオレイン酸グリセリン(C21H40O4)、ポリソルビン酸塩20(C58H114O26)、ポリソルビン酸塩21(C26H50O10)、ポリソルビン酸塩40(C62H122O26)、ポリソルビン酸塩60(C64H126O26)、ポリソルビン酸塩61(C32H62O10)、ポリソルビン酸塩65(C100H194O28)、ポリソルビン酸塩80(C64H124O26)、ポリソルビン酸塩81(C34H64O11)、ポリソルビン酸塩85(C100H188O28)、ポリソルビン酸塩120(C64H126O26)、ポリビニルアルコール((C2H4O)n)、ジイソステアリン酸ソルビタン(C42H80O7)、ジオレイン酸ソルビタン(C42H76O7)、モノイソステアリン酸ソルビタン(C24H46O6)、モノラウリン酸ソルビタン(C18H34O6)、モノオレイン酸ソルビタン(C24H44O6)、モノパルミチン酸ソルビタン(C22H42O6)、モノステアリン酸ソルビタン(C24H46O6)、セスキイソステアリン酸ソルビタン(C33H63O6.5)、セスキオレイン酸ソルビタン(C33H63O6.5)、セスキステアリン酸ソルビタン(C33H63O6.5)、トリイソステアリン酸ソルビタン(C33H63O6.5)、トリオレイン酸ソルビタン(C33H63O6.5)、トリステアリン酸ソルビタン(C33H63O6.5)、モノオレイン酸グリセリル(C21H40O4)、ミリスチン酸イソプロピル(C17H34O2)、パルミチン酸イソプロピル(C19H38O2)、ラノリン[CAS登録番号8006-54-0]、ラノリンアルコール[CAS登録番号8027-33-6]、含水ラノリン[CAS登録番号8020-84-6]、レシチン[CAS登録番号8002-43-5]、中鎖トリグリセライド[登録番号無し]、モノメタノールアミン(C2H7NO)、オレイン酸(C17H33COOH)、ポリエチレングリコールモノセチルエーテル[CAS登録番号9004-95-9]、ポリエチレングリコールモノステアリルエーテル[CAS登録番号9005-00-9]、ポリエチレングリコールモノラウリルエーテル[CAS登録番号9002-92-0]、ポリエチレングリコールモノオレイルエーテル[CAS登録番号9004-98-2]、ポリエトキシ化ひまし油[CAS登録番号61791-12-6]、ステアリン酸ポリオキシル40(C98H196O42)、ステアリン酸ポリオキシル50(C118H236O52)、トリエタノールアミン(C6H15NO3)、アニオン性乳化ワックス[CAS登録番号8014-38-8]、非イオン性乳化ワックス[CAS登録番号977069-99-0]、およびドデシルスルフォン酸ナトリウム(NaC12H25SO4)。
【請求項4】  前記疎水性液体が、 リシノール酸(C17H33OCOOH)、リノール酸（C17H31COOH）、パルミチン酸（C15H31COOH）、パルミトレイン酸(C15H29COOH)、ステアリン酸(C17H35COOH)、リノレイン酸(C17H29COOH)、アラキジン酸(C19H39COOH)、ミリスチン酸(C13H27COOH)、ラウリン酸(C11H23COOH)、カプリン酸(C9H19COOH)、カプロン酸(C5H11COOH)、オレイン酸(C17H33COOH)、カプリル酸(C7H15COOH)、エルカ酸(C21H41COOH)、酪酸(C3H7COOH)、ミリスチン酸エチル(C13H27COOC2H5)、オレイン酸エチル(C17H33COOC2H5)、パルミチン酸エチル(C15H31COOC2H5)、リノール酸エチル(C17H31COOC2H5)、ラウリン酸エチル(C11H23COOC2H5)、リノレイン酸エチル(C17H29COOC2H5)、ステアリン酸エチル(C17H35COOC2H5)、アラキジン酸エチル(C19H39COOC2H5)、カプリル酸エチル(C7H15COOC2H5)、カプリン酸エチル(C9H19COOC2H5)、カプロン酸エチル(C5H11COOC2H5)、酪酸エチル(C3H7COOC2H5)、トリアセチン(C9H14O6)、アルファトコフェロール(C29H50O2)、ベータトコフェロール(C28H48O2)、デルタトコフェロール(C27H46O2)、ガンマトコフェロール(C28H48O2)、ベンジルアルコール(C7H8O)、安息香酸ベンジル(C14H12O2)、メチルフェノール(C7H8O)、セバシン酸ジ‐n‐ブチル(C18H34O4)、フタル酸ジエチル(C12H14O4)、モノオレイン酸グリセリル(C21H40O4)、レシチン、中鎖トリグリセリド、鉱油、ペトロラタム、および流動パラフィンからなる群より選ばれることを特徴とする請求項1から3のいずれか一項に記載の組成物。
【請求項5】  疎水性液体が以下の群から選ばれる植物油であることを特徴とする請求項1から3のいずれか一項に記載の組成物： カニュラ油、とうもろこし油、綿実油、ピーナッツ油、ごま油、ひまし油および大豆油。
【請求項6】  前記組成物が、前記第一と第二の成分の40から70容積％を、前記第三の成分の30から60容積％と組み合わせにより得られることを特徴とする請求項1から5のいずれか一項に記載の組成物。
【請求項7】  前記組成物が、1.0から20.0の間に含まれるCaPモル比を有することを特徴とする請求項1から6のいずれか一項に記載の組成物。
【請求項8】  前記カルシウム含有セメントペーストが、1.0から1.67の間に含まれるCaPモル比を有することを特徴とする請求項7記載の組成物。
【請求項9】  前記第一の組成物が、硫酸カルシウム半水和物[CaSO4・1/2H2O]、ピロリン酸カルシウム[Ca2P2O7]、炭酸カルシウム[CaCO3]、リン酸モノカルシウム1水和物[Ca(H2PO4)2・H2O]、リン酸モノカルシウム[Ca(H2PO4)2]、無水リン酸ジカルシウム[CaHPO4]、リン酸ジカルシウム2水和物[CaHPO4・2H2O]、リン酸オクトカルシウム[Ca8H2(PO4)6・5H2O]、リン酸アルファトリカルシウム[α-Ca3(PO4)2]、リン酸ベータトリカルシウム[β-Ca3(PO4)2]、ヒドロキシアパタイト[Ca5(PO4)3OH]、リン酸テトラカルシウム[Ca4(PO4)2O]、カルシウム欠損ヒドロキシアパタイト[Ca10-X(HPO4)X(PO4)6-X(OH)2-X]、フルオロアパタイト[Ca5(PO4)3F]、無定形リン酸カルシウム、オキシアパタイト[Ca10(PO4)6O]、酸化カルシウムおよび水酸化カルシウム[Ca(OH)2]またはこれらのいくつか若しくは全ての混合物を含むことを特徴とする請求項1から8のいずれか一項に記載の組成物。
【請求項10】  前記第二の成分が更に硫酸[H2SO4]、リン酸[H3PO4]、クエン酸またはこれらの混合物であることを特徴とする請求項1から9のいずれか一項に記載の組成物。
【請求項11】  前記第二の成分が更にセメント硬化時間を制御する添加剤を含み、前記添加剤が液体物質かまたは水に可溶な固体物質であることを特徴とする請求項1から10のいずれか一項に記載の組成物。
【請求項12】  前記添加剤がピロリン酸塩、クエン酸塩、マグネシウム、オルトリン酸塩またはポリリン酸塩イオン、アミノ酸、ペプチドまたは蛋白質の群より選ばれる物質を含むことを特徴とする請求項11に記載の組成。
【請求項13】  前記第二の成分が更に、セメントのレオロジーを制御するための添加剤を含むことを特徴とする請求項1から12のいずれか一項に記載の組成物。
【請求項14】  前記第二の成分が更にポリマーを含み、立体的に第一の成分を安定化させ、これがポリアクリル酸であることを特徴とする請求項1から13のいずれか一項に記載の組成物。
【請求項15】  前記硬化時間が5分と20分の間に含まれることを特徴とする請求項14記載の組成物。
【請求項16】  前記セメントの第二の成分VLの容積が0.8VT<VL<2.0VT（ここでVTは第一の成分の容積である）の範囲であることを特徴とする請求項1から15のいずれか一項に記載の組成物。
【請求項17】  前記組成物が更に顆粒を含むことができ、この直径が第一の成分の粒子の平均直径より、少なくとも2倍大きいことを特徴とする請求項1から16のいずれか一項に記載の組成物。
【請求項18】  前記硬化したセメントペーストが、0≦x≦2のカルシウム欠損ヒドロキシアパタイト[Ca10-X(HPO4)X(PO4)6-X(OH)2-X]を含むことを特徴とする請求項1から17のいずれか一項に記載の組成物。
【請求項19】  前記硬化したセメントペーストがリン酸ジカルシウム2水和物[CaHPO4・2H2O]を含むことを特徴とする請求項1から18のいずれか一項に記載の組成物。
【請求項20】  前記第一の成分がリン酸β-トリカルシウムと更に、リン酸モノカルシウム1水和物[Ca(H2PO4)2・H2O]またはリン酸モノカルシウム[Ca(H2PO4)2]またはリン酸[H3PO4]の群から選ばれる物質を含むことを特徴とする請求項1から19のいずれか一項に記載の組成物。
【請求項21】  前記第一の成分がリン酸α-トリカルシウムを含むことを特徴とする請求項1から19のいずれか一項に記載の組成物。
【請求項22】  前記第一の成分が更に、沈降リン酸カルシウムを含むことを特徴とする請求項21に記載の組成物。
【請求項23】  前記混合物が薬剤的にまたは生理学的に活性な物質、好ましくは抗生物質、抗炎症薬剤、ペプチドおよび蛋白質を含むことを特徴とする請求項1から22のいずれか一項に記載の組成物。
【請求項24】  前記疎水性液体は、時間と共に硬化する自動重合可能なセメントであり、メタクリレートベースであることを特徴とする請求項1から23のいずれか一項に記載の組成物。
【請求項25】  人間または動物の体で用いる為の、硬化したカルシウム含有セメント粒子または多孔のカルシウム含有母剤を生成する方法であり、A)疎水性液体を、新たに混合したカルシウム含有水硬セメントペーストへまたは これの成分の一つへ混合の前に添加しB)工程A)の成分を混合し、疎水性液体中のカルシウム含有水硬セメントペースト の粒子から、またはカルシウム含有水硬セメントペースト中の疎水性液体の粒子から作られる疎水性液体のようなエマルジョンを形成し、C)該エマルジョンの混合を与えられた時間で停止し、疎水性液体に浮かんでいる硬化したカルシウム含有セメント粒子、または疎水性液体で満たされた細孔を有する硬化したカルシウム含有母剤のどちらかを得ることを特徴とする前記方法。
【請求項26】  前記硬化したカルシウム含有セメント粒子を、疎水性液体からろ過し、カルシウム含有セメント粒子の移植可能な顆粒を生成することを特徴とする請求項25に記載の方法。
【請求項27】  前記疎水性液体を、いくつかの工程で、前記新たに混合したカルシウム含有水硬セメントペーストへ添加することを特徴とする請求項25または26に記載の方法。
【請求項28】  前記疎水性液体を硬化したセメント混合物から、好ましくは洗浄、凍結乾燥、蒸発、熱分解またはこれらの工程の組み合わせにより取り除くことを特徴とする請求項25から27のいずれか一項に記載の方法。
【請求項29】  前記硬化したセメント混合物が焼結されることを特徴とする請求項25から28のいずれか一項に記載の方法。
【請求項30】  請求項25から29のいずれか一項による方法により得られた、リン酸β-トリカルシウムの開放巨大多孔質ブロック。